(57)【要約】      （修正有）【課題】パイロットシンボルパターンを表す信号を第２の電気通信デバイスによって第１の電気通信デバイスへ転送するための方法、デバイス及びシステム。【解決手段】方法は、第２の電気通信デバイスによって実行される複数のステップとして、第１の電気通信デバイスへ転送されるべきデータに関連する情報を取得するステップと、関連する情報に応じて、パイロットシンボルパターンを表す信号の送信電力を調整するステップと、パイロットシンボルパターンを表す信号を調整された送信電力で転送するステップとを含む。【選択図】図１
2008104166.tif 000002
【特許請求の範囲】
【請求項１】
パイロットシンボルパターンを表す信号を第２の電気通信デバイスによって第１の電気通信デバイスへ転送するための方法であって、
前記方法は、前記第２の電気通信デバイスによって実行される複数のステップとして、
前記第１の電気通信デバイスへ転送されるべきデータに関連する情報を取得するステップと、
前記関連する情報に応じて、前記パイロットシンボルパターンを表す前記信号の送信電力を調整するステップと、
前記パイロットシンボルパターンを表す前記信号を調整された前記送信電力で転送するステップと
を含むことを特徴とする方法。
【請求項２】
前記転送されるべきデータに関連する情報は、転送されるべきデータの存在または非存在であり、
転送されるべきデータが存在しない場合に、前記送信電力は空値に調整される
ことを特徴とする、請求項１に記載の方法。
【請求項３】
前記転送されるべきデータに関連する情報は、転送されるべきデータに関連するサービス品質であることを特徴とする、請求項１に記載の方法。
【請求項４】
前記方法は、前記第１の電気通信デバイスから前記パイロットシンボルパターンを受信するステップを含むことと、
前記第２の電気通信デバイスは、パイロット割り当て期間中に前記パイロットシンボルパターンを表す信号を転送することと
を特徴とする、請求項２又は３に記載の方法。
【請求項５】
複数の電気通信デバイスが、前記パイロットシンボルパターンを表す信号を転送することを特徴とし、かつ、
前記方法は、前記第１の電気通信デバイスによって実行される複数のステップとして、
前記パイロットシンボルパターンを表す前記信号の前記受信された電力に応じて、前記第２の電気通信デバイスのチャネル状態を解析するステップと、
前記解析に応じて、データを転送すべき１つの前記第２の電気通信デバイスを選択するステップと、
選択された前記第２の電気通信デバイスがデータを転送することを認可するメッセージを、前記選択された電気通信デバイスへ転送するステップと
をさらに含むことを特徴とする、請求項４に記載の方法。
【請求項６】
前記第２の電気通信デバイスのそれぞれについて、前記パイロット割り当て期間の終了時に、前記第１の電気通信デバイスによって実行される複数のステップとして、
前記パイロットシンボルパターンを表す前記信号のうちの少なくとも１つの前記受信された電力が所定の値よりも大きい場合に、前記パイロットシンボルパターン又は別のパイロットシンボルパターンを前記第２の電気通信デバイスへ転送するステップと、
前記パイロットシンボルパターンを表す前記信号のうちの少なくとも１つの前記受信された電力が所定の値よりも小さく、且つパイロットの割り当てを要求するメッセージが前記第２の電気通信デバイスから受信される場合に、前記パイロットシンボルパターン又は別のパイロットシンボルパターンを前記第２の電気通信デバイスへ転送するステップと
をさらに含むことを特徴とする、請求項５に記載の方法。
【請求項７】
パイロットシンボルパターンを表す信号を第２の電気通信デバイスによって第１の電気通信デバイスへ転送するためのデバイスであって、
前記デバイスは前記第２の電気通信デバイスに含まれ、
前記デバイスは、
前記第１の電気通信デバイスへ転送されるべきデータに関連する情報を取得するための手段と、
前記関連する情報に応じて、前記パイロットシンボルパターンを表す前記信号の送信電力を調整するための手段と、
前記パイロットシンボルパターンを表す前記信号を調整された前記送信電力で転送するための手段と
を備えることを特徴とするデバイス。
【請求項８】
第１の電気通信デバイス及び少なくとも２つの第２の電気通信デバイスを備える電気通信システムであって、第２の電気通信デバイスはそれぞれ、パイロットシンボルパターンを表す信号を前記第１の電気通信デバイスへ転送する、電気通信システムにおいて、
前記第２の電気通信デバイスのうちの少なくとも１つは、
前記第１の電気通信デバイスへ転送されるべきデータに関連する情報を取得するための手段と、
前記関連する情報に応じて、前記パイロットシンボルパターンを表す前記信号の送信電力を調整するための手段と、
前記パイロットシンボルパターンを表す前記信号を前記調整された前記送信電力で転送するための手段と
を備え、
前記第１の電気通信デバイスは、
前記パイロットシンボルパターンを表す前記信号の受信された電力に応じて、前記第２の電気通信デバイス間のチャネル状態を解析するための手段と、
前記解析に応じて、データを転送すべき１つの前記第２の電気通信デバイスを選択するための手段と、
選択された前記第２の電気通信デバイスがデータを転送することを認可するメッセージを、前記選択された電気通信デバイスへ転送するための手段と
を備えることを特徴とする、電気通信システム。
【請求項９】
前記第１の電気通信デバイスは、
前記パイロットシンボルパターンを表す前記信号のうちの少なくとも１つの受信された電力が所定の値よりも大きい場合に、前記パイロットシンボルパターン又は別のパイロットシンボルパターンを前記第２の電気通信デバイスへ転送するための手段と、
前記パイロットシンボルパターンを表す前記信号のうちの少なくとも１つの前記受信された電力が所定の値よりも小さく、且つパイロットシンボルパターンの割り当てを要求するメッセージが前記第２の電気通信デバイスから受信される場合に、前記パイロットシンボルパターン又は別のパイロットシンボルパターンを前記第２の電気通信デバイスへ転送するための手段と
をさらに備えることを特徴とする、請求項８に記載の電気通信システム。
【請求項１０】
プログラマブルデバイス内に直接ロード可能とすることができるコンピュータプログラムであって、前記コンピュータプログラムがプログラマブルデバイスで実行されると、請求項１〜６のいずれか一項に記載の方法の前記ステップを実施するための命令又はコード部を含む、コンピュータプログラム。
【請求項１１】
第２の電気通信デバイスによって第１の電気通信デバイスへ転送されるパイロットシンボルパターンを表す信号であって、
前記パイロットシンボルパターンを表す前記信号の送信電力は、前記第１の電気通信デバイスへ転送されるべきデータに関連する情報に応じて調整されることを特徴とする、信号。
【発明の詳細な説明】
【技術分野】
【０００１】
本発明は、包括的には、電気通信システムに関し、詳細には、パイロットシンボルパターンを表す信号を電気通信デバイスへ転送するための方法及びデバイスに関する。
【０００２】
一部の電気通信ネットワークでは、移動端末による電気通信媒体の資源へのアクセスが基地局によって決定される。
【０００３】
アップリンクスケジューリング方式では、移動端末が基地局を通じてデータを転送する必要があるとき、その移動端末は、パイロットシンボルパターンの割り当てを要求するメッセージを基地局へ送信する。基地局は、一例として２０ミリ秒のパイロット割り当て期間の間に、各移動端末にパイロットシンボルパターンを割り当てる。パイロット割り当て期間中、各第２の電気通信デバイス２０は、割り当てられたパイロットシンボルパターンを表す信号を周期的に、たとえば１ミリ秒ごとに周期的に且つ同時に基地局へ、転送する。
【０００４】
基地局は、パイロットシンボルパターンを表す受信された信号を使用して、その基地局自体と各移動端末との間に存在するチャネル状態を判断する。基地局は、判断されたチャネル状態に応じて、基地局へデータを転送しなければならない移動端末を選択する。
【０００５】
このような技法では、移動端末が基地局へデータを転送する必要があるとき、その移動端末は、すべてのパイロット割り当て期間中、パイロットシンボルパターンを表す信号を基地局へ、一例として１ミリ秒ごとに周期的に転送しなければならない。
【０００６】
その移動端末と基地局との間に存在するチャネル状態が他の移動端末と基地局との間に存在するチャネル状態よりも良好である場合、基地局は、その移動端末を、基地局へデータを転送しなければならない移動端末として選択する。しかしながら、選択された端末は、基地局へ転送すべきデータをそれ以上有しない場合がある。このような場合、電気通信システムの資源は効率的に使用されない。
【０００７】
さらに、移動端末が、転送すべきデータをそれ以上有しない場合、その移動端末は、パイロットシンボルパターンを表す信号を基地局へ周期的に転送するために電力資源を使用しなければならない。このようなケースは、電力消費の点からも満足できるものではない。
【０００８】
１つの解決法は、その問題を回避するためにパイロット割り当て期間を削減することであるが、このような解決法は、移動端末と基地局との間で交換されるメッセージを非常に増加させ、したがって、電気通信システムの資源は依然として効率的に使用されない。
【０００９】
また、従来技術では、パイロットシンボルパターンが、チャネル状態を判断する目的でしか転送されないということにも留意しなければならない。
【００１０】
【特許文献１】米国特許第６２８５６６３号明細書（第３欄１４〜４７行、第４欄５９〜６４行、第５欄６４行〜第６欄９行、第６欄５２行目第７欄２１行、図１〜図５、図７、図１０、図１１）
【特許文献２】欧州特許出願公開第０９９１２０４号明細書（第３頁［００３１］〜［００３３］、第４頁［００３９］〜［００４６］、表２〜表４、図１、図４〜図６）
【特許文献３】米国特許出願公開第２００３／０２７５８７号明細書（第２頁２７〜２８段落、第３頁、３５〜３６段落、第４頁４３〜４４段落、図２、図３、図６、図７）
【特許文献４】米国特許出願公開第２００４／０７７３７０号明細書（［００５６］段落）
【００１１】
したがって、本発明の目的は、電気通信システムの資源の利用を改善し、電力資源をより良く使用するために、上述した技法の改善を可能にする方法及びデバイス、並びに、チャネル状態を判断することとは別の目的でパイロットシンボルパターンを表す信号を使用することを可能にする方法及びデバイスを提案することである。
【００１２】
この目的のために、本発明は、パイロットシンボルパターンを表す信号を第２の電気通信デバイスによって第１の電気通信デバイスへ転送するための方法であって、当該方法は、第２の電気通信デバイスによって実行される複数のステップとして、
第１の電気通信デバイスへ転送されるべきデータに関連する情報を取得するステップと、
関連する情報に応じて、パイロットシンボルパターンを表す信号の送信電力を調整するステップと、
パイロットシンボルパターンを表す信号を調整された送信電力で転送するステップと
を含むことを特徴とする方法に関する。
【００１３】
本発明は、パイロットシンボルパターンを表す信号を第２の電気通信デバイスによって第１の電気通信デバイスへ転送するためのデバイスであって、
当該デバイスは、第２の電気通信デバイスに含まれ、
当該デバイスは、
第１の電気通信デバイスへ転送されるべきデータに関連する情報を取得するための手段と、
関連する情報に応じて、パイロットシンボルパターンを表す信号の送信電力を調整するための手段と、
パイロットシンボルパターンを表す信号を調整された送信電力で転送するための手段と
を備えることを特徴とするデバイスにも関する。
【００１４】
したがって、パイロットシンボルパターンを表す信号は、チャネル状態の判断以外の別の目的に使用することができる。パイロットシンボルパターンを表す信号の送信電力は、第１の電気通信デバイスへ転送されるべきデータに関連する情報に調整されるので、第１の電気通信デバイスは、パイロットシンボルパターンを表す信号に基づいてさらにプロセスを実行することができる。
【００１５】
さらに、パイロットシンボルパターンを表す信号は別の情報を運ぶので、電気通信ネットワークの資源は効率的に使用される。
【００１６】
特定の特徴によれば、転送されるべきデータに関連する情報は、転送されるべきデータの存在または非存在であり、転送されるべきデータが存在しない場合に、送信電力は空値（null value）に調整される。
【００１７】
したがって、第２の電気通信がデータを転送しなければならないか否かが第１の電気通信デバイスに正確に知らされる。
【００１８】
さらに、第２の電気通信デバイスが、転送すべきデータをそれ以上有しない場合、第２の電気通信デバイスは、自身の電力資源消費を削減する。
【００１９】
特定の特徴によれば、転送されるべきデータに関連する情報は、転送されるべきデータに関連するサービス品質である。
【００２０】
したがって、パイロットシンボルパターンを表す信号の送信電力は、転送されるべきデータに関連するサービス品質に応じて調整されるので、第１の電気通信デバイスはその情報を考慮する。
【００２１】
特定の特徴によれば、複数の第２の電気通信デバイスが、パイロットシンボルパターンを表す信号を転送し、第１の電気通信デバイスは、
パイロットシンボルパターンを表す信号の受信された電力に応じて、第２の電気通信デバイスのチャネル状態を解析し、
解析に応じて、データを転送すべき１つの第２の電気通信デバイスを選択し、
選択された第２の電気通信デバイスがデータを転送することを認可するメッセージを、選択された電気通信デバイスへ転送する。
【００２２】
したがって、たとえ、その第２の電気通信デバイスと第１の電気通信デバイスとの間に存在するチャネル状態が、他の第２の電気通信デバイスと第１の電気通信デバイスとの間に存在するチャネル状態よりも良好であっても、第１の電気通信デバイスは、転送すべきデータをそれ以上有しない第２の電気通信デバイスを、第１の電気通信デバイスへデータを転送しなければならないものとして選択することはない。電気通信システムの資源が効率的に使用される。
【００２３】
さらに、高いサービス品質のデータを転送しなければならない第２の電気通信デバイスと第１の電気通信デバイスとの間に存在するチャネル状態が、それよりも低いサービス品質のデータを転送しなければならない別の第２の電気通信デバイスと第１の電気通信デバイスとの間に存在するチャネル状態よりも低い場合、第１の電気通信デバイスは、高いサービス品質のデータを転送しなければならない第２の電気通信デバイスを、第１の電気通信デバイスへデータを転送しなければならないものとして選択することができる。
【００２４】
特定の特徴によれば、各第２の電気通信デバイスについて、パイロット割り当て期間の終了時に、第１の電気通信デバイスは、
パイロットシンボルパターンを表す信号のうちの少なくとも１つの受信された電力が所定の値よりも大きい場合に、そのパイロットシンボルパターン又は別のパイロットシンボルパターンを表す情報を第２の電気通信デバイスへ転送し、
パイロットシンボルパターンを表す信号のうちの少なくとも１つの受信された電力が所定の値よりも小さく、且つ、パイロットシンボルパターンの割り当てを要求するメッセージが第２の電気通信デバイスから受信された場合に、そのパイロットシンボルパターン又は別のパイロットシンボルパターンを表す情報を第２の電気通信デバイスへ転送する。
【００２５】
したがって、転送されるメッセージの量が削減される。
【００２６】
さらに別の態様によれば、本発明は、第１の電気通信デバイス及び少なくとも２つの第２の電気通信デバイスを備える電気通信システムであって、第２の電気通信デバイスはそれぞれ、パイロットシンボルパターンを表す信号を第１の電気通信デバイスへ転送する、電気通信システムにおいて、
第２の電気通信デバイスのうちの少なくとも１つは、
第１の電気通信デバイスへ転送されるべきデータに関連する情報を取得するための手段と、
関連する情報に応じて、パイロットシンボルパターンを表す信号の送信電力を調整するための手段と、
パイロットシンボルパターンを表す信号を調整された送信電力で転送するための手段と
を備え、
第１の電気通信デバイスは、
パイロットシンボルパターンを表す信号の受信された電力に応じて、第２の電気通信デバイス間のチャネル状態を解析するための手段と、
解析に応じて、データを転送すべき１つの第２の電気通信デバイスを選択するための手段と、
選択された第２の電気通信デバイスがデータを転送することを認可するメッセージを、選択された電気通信デバイスへ転送するための手段と
を備えることを特徴とする、電気通信システムに関する。
【００２７】
このシステムに関する特徴及び利点は、本発明による方法及びデバイスに関係して上述したものと同じであるので、それらの特徴及び利点は、ここでは繰り返さないことにする。
【００２８】
さらに別の態様によれば、本発明は、プログラマブルデバイス内に直接ロード可能とすることができるコンピュータプログラムであって、当該コンピュータプログラムがプログラマブルデバイスで実行されると、本発明による方法の上記ステップを実施するための命令又はコード部を含む、コンピュータプログラムに関する。
【００２９】
このコンピュータプログラムに関する特徴及び利点は、本発明による方法及びデバイスに関係して上述したものと同じであるので、それらの特徴及び利点は、ここでは繰り返さないことにする。
【００３０】
さらに別の態様によれば、本発明は、第２の電気通信デバイスによって第１の電気通信デバイスへ転送されるパイロットシンボルパターンを表す信号であって、パイロットシンボルパターンを表す信号の送信電力は、第１の電気通信デバイスへ転送されるべきデータに関連する情報に応じて調整されることを特徴とする、信号に関する。
【００３１】
この信号に関する特徴及び利点は、本発明による方法及びデバイスに関係して上述したものと同じであるので、それらの特徴及び利点は、ここでは繰り返さないことにする。
【００３２】
本発明の特徴は、実施形態例の以下の説明を読むことによって、より明らかとなる。上記説明は、添付図面に関して作成されている。
【００３３】
図１は、本発明による無線ネットワークのアーキテクチャを表す図である。
【００３４】
図１の電気通信システムでは、少なくとも１つの好ましくは複数の第２の電気通信デバイス２０１又は２０Ｋが、ネットワーク１５を通って、第１の電気通信デバイス１０に、アップリンクチャネル及びダウンリンクチャネルを通じてリンクされている。
【００３５】
ネットワークは、限定ではなく一例として無線ネットワーク１５であるが、本発明は、電力線ネットワークのような有線ネットワークにも適用可能である。
【００３６】
限定ではなく好ましくは、第１の電気通信デバイス１０は、無線ネットワーク１５の基地局、ノード、若しくはエンハンストノード（enhanced node）、又は、携帯電話、携帯情報端末、若しくはパーソナルコンピュータのような端末である。
【００３７】
限定ではなく好ましくは、第２の電気通信デバイス２０１〜２０Ｋは、携帯電話、携帯情報端末、又はパーソナルコンピュータのような端末である。
【００３８】
一例として、電気通信ネットワーク１５は、時分割複信方式（ＴＤＤ）又は周波数分割複信方式（ＦＤＤ）を使用する無線電気通信システムである。
【００３９】
ＴＤＤ方式では、アップリンクチャネル及びダウンリンクチャネルで転送される信号は、同じ周波数帯域の異なる時間フレームに二重化される。無線ネットワーク１５内で転送される信号は、同じ周波数スペクトルを共有する。
【００４０】
ＦＤＤ方式では、アップリンクチャネル及びダウンリンクチャネルで転送される信号は、異なる周波数帯域に二重化される。
【００４１】
第１の電気通信デバイス１０が、データ、信号、又はメッセージを第２の電気通信デバイス２０へ転送するとき、それらのデータ、信号、又はメッセージは、ダウンリンクチャネルを通じて転送される。
【００４２】
第２の電気通信デバイス２０が、信号又はデータを第１の電気通信デバイス１０へ転送するとき、それらの信号又はデータは、アップリンクチャネルのアップリンクタイムスロットを通じて転送される。好ましくは、データは、少なくとも１つのパケットの形で転送される。
【００４３】
第１の電気通信デバイス１０は、アップリンクチャネルで使用されるべきパイロットシンボルパターンを要求するメッセージを第２の電気通信デバイス２０から受信する。第１の電気通信デバイス１０は、パイロット割り当て期間の間、パイロットシンボルパターンを各第２の電気通信デバイス２０に割り当てる。割り当てられた各パイロットシンボルパターンは、他の割り当てられたパイロットシンボルパターンと直交している。パイロット割り当て期間中、各第２の電気通信デバイス２０は、割り当てられたパイロットシンボルパターンをアップリンクチャネルを通じて転送する。
【００４４】
第１の電気通信デバイス１０は、パイロットシンボルパターンを表す受信された信号を使用して、その第１の電気通信デバイス１０自体と各第２の電気通信デバイス２０との間に存在するチャネル状態を判断する。第１の電気通信デバイス１０は、第２の電気通信デバイス２０のうちチャネル状態が良好であると考えられる（すなわち、信号の受信された電力が所定の値よりも大きい）１つに次のアップリンク時間フレームを割り当てる。
【００４５】
本発明によれば、少なくとも１つの第２の電気通信デバイス２０が、転送しなければならないデータに応じて、パイロットシンボルパターンを表す信号の送信電力を設定する。
【００４６】
第１の電気通信デバイス１０は、ＢＳＡｎｔで示された少なくとも１つのアンテナを備え、第２の電気通信デバイス２０１〜２０Ｋはそれぞれ、ＭＳ１Ａｎｔ〜ＭＳＫＡｎｔでそれぞれ示された少なくとも１つのアンテナを備える。
【００４７】
図２は、本発明による第１の電気通信デバイスのアーキテクチャを表す図である。
【００４８】
第１の電気通信デバイス１０は、たとえば、バス２０１によって互いに接続されたコンポーネントと、図６に開示するようなアルゴリズムに関係するプログラムによって制御されるプロセッサ２００とに基づくアーキテクチャを有する。
【００４９】
ここで、第１の電気通信デバイス１０は、一変形では、以下で開示するようなプロセッサ２００により実行されるオペレーションと同じオペレーションを実行する１つ又は数個の専用集積回路の形で実装されることに留意しなければならない。
【００５０】
バス２０１は、プロセッサ２００を、読み出し専用メモリＲＯＭ２０２、ランダムアクセスメモリＲＡＭ２０３、及びチャネルインターフェース２０５にリンクする。
【００５１】
読み出し専用メモリＲＯＭ２０２は、図６に開示するようなアルゴリズムに関係するプログラムの命令を含む。これらの命令は、第１の電気通信デバイス１０に電源が投入された時にランダムアクセスメモリＲＡＭ２０３へ転送される。
【００５２】
ＲＡＭメモリ２０３は、変数を収容するレジスタと、図６に開示するようなアルゴリズムに関係するプログラムの命令とを含む。
【００５３】
チャネルインターフェース２０５は、各第２の電気通信デバイス２０に割り当てられるパイロットシンボルパターンを表す情報の転送を可能にする。パイロットシンボルパターンを表す情報は、パイロットシンボルパターン、又は、パイロットシンボルパターンを識別するインディシア（indicia）のような情報である。
【００５４】
チャネルインターフェース２０５を通じて、プロセッサ２００は、どの第２の電気通信デバイス２０が次のアップリンク時間フレームでパケットを転送しなければならないかをダウンリンク時間フレームにおいて示す。
【００５５】
チャネルインターフェース２０５は、各第２の電気通信デバイス２０のチャネル状態、すなわち、第１の電気通信デバイスと各第２の電気通信デバイス２０との間のチャネル状態、を判断するために、各第２の電気通信デバイス２０によって転送されたパイロットシンボルパターンを表す信号を解析するための手段を備える。
【００５６】
図３は、本発明による第２の電気通信デバイスのアーキテクチャを表す図である。
【００５７】
第２の電気通信デバイス２０、一例として、第２の電気通信デバイス２０ｋは、たとえば、バス３０１によって互いに接続されたコンポーネントと、図５に開示するようなアルゴリズムに関係するプログラムによって制御されるプロセッサ３００とに基づくアーキテクチャを有する。なお、ｋは１とＫとの間に含まれる。
【００５８】
ここで、第２の電気通信デバイス２０ｋは、一変形では、以下で開示するようなプロセッサ３００により実行されるオペレーションと同じオペレーションを実行する１つ又は数個の専用集積回路の形で実装されることに留意しなければならない。
【００５９】
バス３０１は、プロセッサ３００を、読み出し専用メモリＲＯＭ３０２、ランダムアクセスメモリＲＡＭ３０３、及びチャネルインターフェース３０５にリンクする。
【００６０】
読み出し専用メモリＲＯＭ３０２は、図５に開示するようなアルゴリズムに関係するプログラムの命令を含む。これらの命令は、第１の電気通信デバイス２０ｋに電源が投入された時にランダムアクセスメモリＲＡＭ３０３へ転送される。
【００６１】
ＲＡＭメモリ３０３は、変数を収容するレジスタと、図５に開示するようなアルゴリズムに関係するプログラムの命令とを含む。
【００６２】
ＲＡＭメモリ３０３は、第２の電気通信デバイス２０によって第１の電気通信デバイス１０へ転送されるべき、パケットの形にあるデータを送信キューに記憶する。
【００６３】
チャネルインターフェース３０５は、パイロットシンボルパターンを表す信号及びバケットを第１の電気通信デバイス１０へ転送するための手段を備える。チャネルインターフェース３０５は、パイロットシンボルパターンを表す信号の電力を制御するための手段３１０を備える。限定ではなく一例として、パイロットシンボルパターンを表す信号の電力を制御するための手段３１０は、パイロットシンボルを表す信号に、プロセッサ３００によって求められた、Ｐで示される係数を乗算する。
【００６４】
チャネルインターフェース３０５は、第２の電気通信デバイス２０に割り当てられるパイロットシンボルパターンと、次のアップリンク時間フレームにおいてパケットを転送することを第２の電気通信デバイス２０に認可する指示とを、ダウンリンク時間フレームにおいて受信するための手段を備える。
【００６５】
図４は、アップリンクチャネルで転送される信号を表す一例である。
【００６６】
図４は、ＰＳＴ１及びＰＳＴ２で示された２つのパイロット割り当て期間を示している。各パイロット割り当て期間ＰＳＴ１又はＰＳＴ２は約２０ミリ秒である。
【００６７】
各パイロット割り当て期間ＰＳＴ１又はＰＳＴ２は、ＦＲ１、ＦＲ２〜ＦＲＮで示されたＮ個の時間フレームに分解される。
【００６８】
各時間フレームＦＲ１、ＦＲ２〜ＦＲＮは、ＰＳ１、ＰＳ２〜ＰＳＮでそれぞれ示されたタイムスロットと、ＰＣＫ１、ＰＣＫ２〜ＰＣＫＮでそれぞれ示されたタイムスロットとに分解される。
【００６９】
パイロット割り当て期間ＰＳＴ１の期間中、各第２の電気通信デバイス２０は、ＰＳ１、ＰＳ２〜ＰＳＮで示されたタイムスロットで、第１の電気通信デバイス１０が第２の電気通信デバイス２０に割り当てたパイロットシンボルパターンを表す信号を転送する。パイロットシンボルパターンを表す信号の送信電力は、転送されるべきデータに関連する情報に応じて調整される。
【００７０】
ここで、パイロットシンボルパターンを表す信号の送信電力が、タイムスロットＰＳｎ（ただし１≦ｎ≦Ｎ）について空値に設定されている場合、パイロットシンボルパターンを表す信号の送信は、タイムスロットＰＳｎにおいてはそれらの信号を送信しないこと（non-transmission）であると理解できることにも留意しなければならない。
【００７１】
パイロット割り当て期間ＰＳＴ２の期間中、各第２の電気通信デバイス２０は、ＰＳ１、ＰＳ２〜ＰＳＮで示されたタイムスロットで、第１の電気通信デバイスがその第２の電気通信デバイス２０に割り当てたパイロットシンボルパターンを表す信号を転送する。パイロットシンボルパターンを表す信号の送信電力は、転送されるべきデータに関連する情報に応じて調整される。
【００７２】
パイロット割り当て期間ＰＳＴ１で或る第２の電気通信デバイス２０に割り当てられたパイロットシンボルパターンは、パイロット割り当て期間ＰＳＴ２でその第２の電気通信デバイス２０に割り当てられたパイロットシンボルパターンと等しいか又は異なる。
【００７３】
各タイムスロットＰＣＫ１、ＰＣＫ２〜ＰＣＫ３では、第１の電気通信デバイス１０が第２の電気通信デバイス２０にそのタイムスロットを割り当てていた場合に、その第２の電気通信デバイス２０は、第１の電気通信デバイスへパケットを転送する。
【００７４】
図５は、本発明による各第２の電気通信デバイスによって実行されるアルゴリズムである。
【００７５】
第２の電気通信デバイス２０、より正確には、プロセッサ３００が、本アルゴリズムを実行する。
【００７６】
ステップＳ５００において、プロセッサ３００は、第２の電気通信デバイス２０によってアップリンクチャネルで使用されるべきパイロットシンボルパターンの割り当てを第１の電気通信デバイス１０へ要求するメッセージを、アップリンクチャネルを通じて転送することを指令する。
【００７７】
次のステップＳ５０１において、プロセッサ３００は、ダウンリンクチャネルを通じて受信されたパイロットシンボルパターンを表す情報を使用して、第１の電気通信デバイス１０により割り当てられたパイロットシンボルパターンをＲＡＭメモリ３０３に記憶する。
【００７８】
同時に、プロセッサ３００は、パイロット割り当て期間ＰＳＴ１を決定する。パイロット割り当て期間ＰＳＴ１は、割り当てられたパイロットシンボルパターンを含むメッセージの所定のフィールドを読み出すことによって決定されるか、又は、ＲＯＭメモリ３０２に記憶されている所定の値を読み出すことによって決定される。
【００７９】
次のステップＳ５０２において、プロセッサ３００は、第１の電気通信デバイス１０へ転送されるべきパケットが送信キューに存在するか否かをチェックする。
【００８０】
送信キューにパケットが存在する場合、プロセッサ３００はステップＳ５０３に移動し、存在しない場合、プロセッサ３００はステップＳ５０６に移動する。
【００８１】
ステップＳ５０３において、プロセッサ３００は、送信キューに含まれる最初のパケットに関連付けられているサービス品質が高いか否かをチェックする。限定ではなく一例として、高いサービス品質が関連付けられているパケットは、電話呼又はビデオコンテンツに関係するデータを含むパケットのように制限時間内に転送する必要があるパケットである。低いサービス品質が関連付けられているパケットは、一例として、送信遅延があまり問題とならないテキストコンテンツを含むパケットである。
【００８２】
送信キューに含まれる最初のパケットに関連付けられているサービス品質が高い場合、プロセッサ３００はステップＳ５０４に移動する。
【００８３】
送信キューに含まれる最初のパケットに関連付けられているサービス品質が低い場合、プロセッサ３００はステップＳ５０５に移動する。
【００８４】
ステップＳ５０４において、プロセッサ３００は、係数Ｐの値をＰ１に設定し、その係数をチャネルインターフェース３０５へ転送する。チャネルインターフェース３０５は、パイロットシンボルパターンを表す信号に係数Ｐの値Ｐ１を乗算することによって、パイロットシンボルパターンを表す信号の電力を制御する。その後、プロセッサ３００はステップＳ５０７に移動する。
【００８５】
ステップＳ５０５において、プロセッサ３００は、係数Ｐの値をＰ２に設定し（ただしＰ２＜Ｐ１）、その係数をチャネルインターフェース３０５へ転送する。チャネルインターフェース３０５は、パイロットシンボルパターンを表す信号に係数Ｐの値Ｐ２を乗算することによって、パイロットシンボルパターンを表す信号の電力を制御する。その後、プロセッサ３００はステップＳ５０７に移動する。
【００８６】
ステップＳ５０７において、プロセッサ３００は、ＲＡＭメモリ３０３に記憶されたパイロットシンボルパターンをチャネルインターフェース３０５へ転送する。
【００８７】
パイロットシンボルパターンを表す信号は、係数Ｐによって乗算され、アップリンクチャネルを通じて第１の電気通信デバイス１０へ転送される。
【００８８】
次のステップＳ５０８において、プロセッサ３００は、アップリンクチャネルの次の時間フレームでパケットを転送することをその第２の電気通信デバイス２０に認可するメッセージが第１の電気通信デバイス１０からダウンリンクチャネルを通じて受信されるか否かをチェックする。
【００８９】
アップリンクチャネルの次の時間フレームでパケットを転送することをその第２の電気通信デバイス２０に認可するメッセージが受信される場合、プロセッサ３００はステップＳ５０９に移動する。
【００９０】
アップリンクチャネルの次の時間フレームでパケットを転送することをその第２の電気通信デバイス２０に認可するメッセージが受信されない場合、プロセッサ３００はステップＳ５１０に移動する。
【００９１】
ステップＳ５０９において、プロセッサ３００は、送信キューの最初のパケットをチャネルインターフェース３０５へ転送することを指令する。そのパケットは、送信キューから廃棄される。ここで、好ましい一実現モードでは、プロセッサ３００が確認応答メッセージの受信を検出した場合にのみ、パケットが送信キューから廃棄されることに留意しなければならない。この受信確認応答メッセージは、プロセッサ３００が転送したパケットに応答して第１の電気通信デバイス１０が転送したものである。
【００９２】
ステップＳ５１０において、プロセッサ３００は、パイロット割り当て期間ＰＳＴが終了したか否かをチェックする。
【００９３】
パイロット割り当て期間ＰＳＴが終了していない場合、プロセッサ３００はステップＳ５０２に戻る。
【００９４】
パイロット割り当て期間ＰＳＴが終了している場合、プロセッサ３００はステップＳ５１１に移動する。
【００９５】
ステップＳ５０２において、プロセッサ３００は、第１の電気通信デバイス１０へ転送されるべきパケットが送信キューに存在するか否かをチェックする。
【００９６】
送信キューにパケットが存在しない場合、プロセッサ３００はステップＳ５０６に移動し、存在する場合、プロセッサ３００はステップＳ５０３に移動する。
【００９７】
ステップＳ５０６において、プロセッサ３００は、係数Ｐの値を空値に設定し、その係数をチャネルインターフェース３０５へ転送する。チャネルインターフェース３０５は、パイロットシンボルパターンを表す信号に空値を乗算することによって、パイロットシンボルパターンを表す信号の電力を制御する。その後、プロセッサ３００はステップＳ５０７に移動する。
【００９８】
プロセッサ３００は、パイロット割り当て期間ＰＳＴが終了するまでステップＳ５０２〜Ｓ５１０を実行する。
【００９９】
ステップＳ５１１において、プロセッサ３００は、パイロットシンボルパターンを表す情報が、次のパイロット割り当て期間の間、ダウンリンクチャネルを通じて第１の電気通信デバイス１０から受信されるか否かをチェックする。
【０１００】
パイロットシンボルパターンが第１の電気通信デバイス１０から受信される場合、プロセッサ３００はステップＳ５０１に戻る。
【０１０１】
パイロットシンボルパターンが第１の電気通信デバイス１０から受信されない場合、プロセッサ３００はステップＳ５１２に移動し、第１の電気通信デバイス１０へ転送されるべきパケットが送信キューに存在するか否かをチェックする。
【０１０２】
送信キューにパケットが存在する場合、プロセッサ３００はステップＳ５００に戻り、存在しない場合、プロセッサ３００は本アルゴリズムを停止する。パケットが送信キューに存在していると、プロセッサ３００は、再び本アルゴリズムを実行することになる。
【０１０３】
ここで、実現の一変形では、ステップＳ５１１はプロセッサ３００によって実行されないことに留意しなければならない。このような変形では、プロセッサ３００は、ステップＳ５１０からステップＳ５１２へ移動する。
【０１０４】
図６は、本発明による第１の電気通信デバイスによって実行されるアルゴリズムである。
【０１０５】
より正確には、本アルゴリズムは、第１の電気通信デバイス１０のプロセッサ２００によって実行される。
【０１０６】
ステップＳ６００において、プロセッサ２００は、パイロットシンボルパターンの割り当てを第１の電気通信デバイス１０に要求するメッセージの、アップリンクチャネルを通じた受信を検出する。プロセッサ２００は、パイロットシンボルパターンの割り当てを第１の電気通信デバイス１０に要求するメッセージを送信した第２の電気通信デバイスのそれぞれを識別する。
【０１０７】
このようなメッセージは、アップリンクチャネルを通じてパケットを転送する必要がある第２の電気通信デバイス２０により転送される。
【０１０８】
次のステップＳ６０１において、プロセッサ２００は、識別された第２の電気通信デバイス２０のそれぞれにパイロットシンボルパターンを割り当てる。パイロットシンボルパターンはビットシーケンスであり、各パイロットシンボルパターンは、他のパイロットシンボルパターンと直交している。割り当てられた各パイロットシンボルパターンを表す情報は、識別された各第２の電気通信デバイス２０へそれぞれ転送される。
【０１０９】
同じステップにおいて、プロセッサ２００は、パイロット割り当て期間をアクティブ化する。パイロット割り当て期間ＰＳＴは、パイロットシンボルパターンと共に転送されるか又はそうではない。パイロット割り当て期間ＰＳＴは、ＲＯＭメモリ２０２に記憶された所定の値と等しい。
【０１１０】
次のステップＳ６０２において、プロセッサ２００は、チャネルインターフェース２０５を通じて、識別された第２の電気通信デバイス２０により転送されたパイロットシンボルパターンを表す信号の受信を検出する。
【０１１１】
次のステップＳ６０３において、プロセッサ２００は、パイロットシンボルパターンを表す受信された信号を使用して、第１の電気通信デバイス１０自体と各第２の電気通信デバイス２０との間に存在するチャネル状態を、チャネルインターフェース２０５から得る。一例として、チャネルインターフェース２０５は、各パイロットシンボルパターンについて、対応する受信された信号の電力を測定する。
【０１１２】
次のステップＳ６０４において、プロセッサ２００は、チャネル状態を使用して、次のアップリンク時間フレームが割り当てられる第２の電気通信デバイス２０を選択する。
【０１１３】
一例として、プロセッサ２００は、測定された電力が最も高い信号を転送した第２の電気通信デバイス２０を選択する。
【０１１４】
ここで、各第２の電気通信デバイス２０が、転送しなければならないパケットに応じてパイロットシンボルパターンを表す信号の送信電力を設定する場合、第１の電気通信デバイス１０が、関連付けられている高いサービス品質を有するパケットを有する第２の電気通信デバイス２０に次の時間フレームを割り当てる確率は増加することに留意しなければならない。
【０１１５】
さらに、各第２の電気通信デバイス２０は、パケットを転送する必要がないときは、パイロットシンボルパターンを表す信号の送信電力を空値に設定するので、第１の電気通信デバイス１０は、転送するパケットを有しない第２の電気通信デバイス２０に次の時間フレームを割り当てることはなく、したがって、無線ネットワーク１５の資源が最適化される。
【０１１６】
次のステップＳ６０５において、プロセッサ２００は、割り当てられた各パイロットシンボルパターンについて、上記パイロットシンボルパターンを表す信号が受信されていないか否かをチェックする。
【０１１７】
このようなケースは、少なくとも１つの第２の電気通信デバイス２０が、パイロットシンボルパターンを表す信号の送信電力を空値に設定したときに発生する。
【０１１８】
次のステップＳ６０６において、プロセッサ２００は、Ｋ個の変数Ｍ（ｋ）（ただしｋ＝１〜Ｋ）を、ステップＳ６０５の結果に応じて値１又は空値に設定する。
【０１１９】
第２の電気通信デバイス２０ｋに割り当てられたパイロットシンボルパターンを表す信号が受信されている場合、プロセッサ２００は、変数Ｍ（ｋ）を値１に設定する。
【０１２０】
第２の電気通信デバイス２０ｋに割り当てられたパイロットシンボルパターンを表す信号が受信されていない場合、プロセッサ２００は、変数Ｍ（ｋ）を空値に設定する。その結果、プロセッサ２００は、パイロット割り当て期間ＰＳＴの終了時に、転送すべきパケットをそれ以上有しない第２の電気通信デバイスを決定することができる。
【０１２１】
次のステップＳ６０７において、プロセッサ２００は、パイロット割り当て期間ＰＳＴが終了するか否かをチェックする。
【０１２２】
パイロット割り当て期間ＰＳＴが終了していない場合、プロセッサ２００はステップＳ６０２に戻る。
【０１２３】
パイロット割り当て期間ＰＳＴが終了している場合、プロセッサ２００はステップＳ６０８に移動する。
【０１２４】
ステップＳ６０８において、プロセッサ２００は、変数Ｍ（ｋ）が値１に等しい各第２の電気通信デバイス２０を識別する。
【０１２５】
ここで、一変形では、プロセッサ２００は、第２の電気通信デバイス２０１〜２０Ｋにそれぞれ割り当てられたパイロットシンボルパターンを表す信号がパイロット割り当て期間ＰＳＴ内で受信された回数ｘ１〜ｘＫをカウントするということに留意しなければならない。プロセッサ２００は、所定のしきい値よりも大きなｘｋを有するパイロットシンボルパターンのリストを作成し、対応する第２の電気通信デバイス２０を識別する。
【０１２６】
次に、プロセッサ２００は、本アルゴリズムのステップＳ６００に戻る。
【０１２７】
もちろん、本発明の範囲から逸脱することなく、上述した本発明の実施形態に対して多くの変更を行うことができる。
【図面の簡単な説明】
【０１２８】
【図１】本発明による、無線ネットワークのアーキテクチャを表す図である。
【図２】本発明による、第１の電気通信デバイスのアーキテクチャを表す図である。
【図３】本発明による、第２の電気通信デバイスのアーキテクチャを表す図である。
【図４】アップリンクチャネルで転送される信号を表す一例を示す図である。
【図５】本発明による、各第２の電気通信デバイスによって実行されるアルゴリズムを示す図である。
【図６】本発明による、第１の電気通信デバイスによって実行されるアルゴリズムを示す図である。
【図１】
2008104166.tif 000003
【図２】
2008104166.tif 000004
【図３】
2008104166.tif 000005
【図４】
2008104166.tif 000006
【図５】
2008104166.tif 000007
【図６】
2008104166.tif 000008
【外国語明細書】
2008104166.tif 000009
2008104166.tif 000010
2008104166.tif 000011
2008104166.tif 000012
2008104166.tif 000013
2008104166.tif 000014
2008104166.tif 000015
2008104166.tif 000016
2008104166.tif 000017
2008104166.tif 000018
2008104166.tif 000019
2008104166.tif 000020
2008104166.tif 000021
2008104166.tif 000022
2008104166.tif 000023
2008104166.tif 000024
2008104166.tif 000025
2008104166.tif 000026
2008104166.tif 000027
2008104166.tif 000028
2008104166.tif 000029
2008104166.tif 000030
2008104166.tif 000031
2008104166.tif 000032
2008104166.tif 000033